(57)【要約】【課題】台紙に設けられた剥離紙片を簡単に切り取ることができ、更に、その剥離紙片の裏面を記入部として用いることができ、剥離紙片の裏面を有効利用できるようにした剥離紙片付き台紙を提供する。【解決手段】台紙上の所定部分に剥離紙片が設けられ、前記剥離紙片は、該剥離紙片の外周縁部に沿って第１の切り取りミシンが所定の形状で形成され、第１の切り取りミシンが形成された部分から外側の裏面領域と、台紙の表面と、が剥離可能に擬似接着され、前記剥離紙片を略２等分する位置であって、第１の切り取りミシンが形成された部分から外周縁部に対して、それぞれ第２の切り取りミシンまたは切り込みが形成され、前記剥離紙片の裏面領域において、第１の切り取りミシンが形成された形状の内側部分であって、剥離紙片を略２等分した位置に対して直角方向となる両側端部近傍と、台紙の表面と、が剥離可能に擬似接着されている。【選択図】        図１
2011115991.tif 000002
【特許請求の範囲】
【請求項１】
台紙上の所定部分に剥離紙片が設けられた剥離紙片付き台紙であって、
前記剥離紙片は、該剥離紙片の外周縁部に沿って第１の切り取りミシンが所定の形状で形成され、前記第１の切り取りミシンが形成された部分から外側の裏面領域と、前記台紙の表面と、が剥離可能に擬似接着され、
前記剥離紙片を略２等分する位置において、前記第１の切り取りミシンが形成された部分から該剥離紙片の外周縁部に向かって、それぞれ第２の切り取りミシンまたは切り込みが形成され、
前記剥離紙片の裏面領域において、前記第１の切り取りミシンが形成された形状の内側部分であって、前記剥離紙片を略２等分した位置と垂直方向になる両側端部分と、前記台紙の表面と、が剥離可能に擬似接着されていることを特徴とする剥離紙片付き台紙。
【請求項２】
前記剥離紙片が、正方形で形成され、
前記第１の切り取りミシンが正方形で形成され、
前記剥離紙片の四隅の角部分のうち、前記第２の切り取りミシンまたは切り込みが形成されていない側の２つの角部分に、コーナーカットが形成されていることを特徴とする請求項１記載の剥離紙片付き台紙。
【請求項３】
前記第１の切り取りミシンが、カット部とアンカット部の長さがそれぞれ１．０ｍｍ以下に設定されたマイクロミシンであることを特徴とする請求項１および請求項２に記載の剥離紙片付き台紙。
【請求項４】
前記剥離紙片の裏面に記入欄が表示されていることを特徴とする請求項１から請求項３のいずれかに記載の剥離紙片付き台紙。
【発明の詳細な説明】
【技術分野】
【０００１】
本発明は、クーポン券、カード、チケット、などに使用する剥離紙片が、台紙上の一部に剥離可能な状態で設けられている剥離紙片付き台紙に関する。
【背景技術】
【０００２】
従来、クーポン券、カード、チケット、などの媒体を封筒に入れて顧客などに送る場合には、必要事項がプリント印字された台紙にそれらの媒体を様々な方法で設けた構成のものを使用している。
例えば、台紙の一部をカード部にして、そのカード部に保護フィルムを接着させた構成のものや、基材面の所定部にカード保持部を設けて、そのカード保持部にカードを剥離可能に接着させる際に、カードの裏面に施された放射線硬化型樹脂の硬化層と、カード保持部の表面に施された放射線硬化型樹脂の硬化層と、を擬似接着させる構成のものなどが知られている。（例えば、特許文献１〜３、参照）
【０００３】
しかしながら、それらの台紙に設けた媒体の使用目的において、その裏面に手書きで様々な事項を記入する場合もあり、その場合には剥離紙片を筆記性の良い状態に保つ必要がある。
例えば、媒体がクーポン券である場合に、クーポン券情報を管理する目的などで、そのクーポン券の裏面にクーポン券が使用された際の日時や使用者名などを記入し、また媒体がカードである場合に、そのカード使用者の名前をカード裏面に記入するなど、様々な理由で台紙に設けた剥離紙片の裏面を記入部として用いる場合がある。
【０００４】
上記のような台紙に設けた剥離紙片の裏面を記入部として用いる場合には、従来のようにカード部に保護フィルムを接着させた構成のものや、カードの裏面に放射線硬化型樹脂の硬化層を設けた構成のものでは、筆記性が悪いという問題がある。
【先行技術文献】
【特許文献】
【０００５】
【特許文献１】特開２００３−２６０８８７号公報
【特許文献２】特開平１１−２１６９７０号公報
【特許文献３】特開２００５−２２５２１２号公報
【発明の概要】
【発明が解決しようとする課題】
【０００６】
そこで、本発明は、台紙上に剥離可能な状態で設けられている剥離紙片をコーナー部分から剥離させた際でも、簡単に切り取ることができ、更に、その剥離紙片の裏面を記入部として用いることができるようにして、剥離紙片の裏面を有効利用できるようにして、剥離紙片の利便性を高めた剥離紙片付き台紙を提供する。
【課題を解決するための手段】
【０００７】
本発明の剥離紙片付き台紙は、台紙上の所定部分に剥離紙片が設けられた剥離紙片付き台紙であって、前記剥離紙片は、該剥離紙片の外周縁部に沿って第１の切り取りミシンが所定の形状で形成され、前記第１の切り取りミシンが形成された部分から外側の裏面領域と、前記台紙の表面と、が剥離可能に擬似接着され、前記剥離紙片を略２等分する位置において、前記第１の切り取りミシンが形成された部分から該剥離紙片の外周縁部に向かって、それぞれ第２の切り取りミシンまたは切り込みが形成され、前記剥離紙片の裏面領域において、前記第１の切り取りミシンが形成された形状の内側部分であって、前記剥離紙片を略２等分した位置と垂直方向になる両側端部分と、前記台紙の表面と、が剥離可能に擬似接着されていることを特徴とする。
【０００８】
また、本発明の剥離紙片付き台紙は、前記剥離紙片が、正方形で形成され、前記第１の切り取りミシンが正方形で形成され、前記剥離紙片の四隅の角部分のうち、前記第２の切り取りミシンまたは切り込みが形成されていない側の２つの角部分に、コーナーカットが形成されていることを特徴とする。
【０００９】
更に、本発明の剥離紙片付き台紙は、前記第１の切り取りミシンが、カット部とアンカット部の長さがそれぞれ１．０ｍｍ以下に設定されたマイクロミシンであることを特徴とする。
【００１０】
また、本発明の剥離紙片付き台紙は、前記剥離紙片の裏面に記入欄が表示されていることを特徴とする。
【発明の効果】
【００１１】
したがって、本発明の剥離紙片付き台紙は、剥離紙片を略２等分する位置であって、第１の切り取りミシンが形成された部分から外周縁部に対して、それぞれ第２の切り取りミシンまたは切り込みが形成され、剥離紙片をコーナー部分から剥離させた際でも、第１の切り取りミシンから剥離紙片の外周部分を２つに分けて簡単に切り取ることができ、更に、剥離紙片を略２等分した位置に対して垂直方向となる両側端部分と、台紙の表面と、が剥離可能に擬似接着され、その両側端部近傍の以外の領域には擬似接着されていないので、それらの擬似接着されていない剥離紙片の裏面領域の筆記性が良く、その剥離紙片の裏面に所望の情報を記入でき、剥離紙片の裏面を有効利用でき、剥離紙片の利便性が高まるという効果がある。
【００１２】
また、本発明の剥離紙片付き台紙は、剥離紙片が、正方形で形成され、第１の切り取りミシンが正方形で形成され、剥離紙片の四隅の角部分のうち、第２の切り取りミシンまたは切り込みが形成されていない側の２つの角部分に、コーナーカットが形成されているので、コーナーカットから剥離紙片をめくり上げることで、剥離紙片の四周部分が第１の切り取りミシンや第２の切り取りミシンから切り取りやすく、簡単に剥離紙片を台紙から剥離させることができるという効果がある。
【００１３】
また、本発明の剥離紙片付き台紙は、第１の切り取りミシンがマイクロミシンであることで、剥離紙片の四周部分を第１の切り取りミシンから簡単に切り取り、剥離紙片を台紙から剥離させることができるという効果がある。
【００１４】
また、本発明の剥離紙片付き台紙は、剥離紙片の裏面に記入欄が表示されていることで、台紙から剥離させた剥離紙片を使用する際に、必要な情報を剥離紙片の裏面に記入させて利用できるという効果がある。
【図面の簡単な説明】
【００１５】
【図１】本発明の実施形態に係る剥離紙片付き台紙の平面図である。
【図２】図１のＡ−Ａ線断面図である。
【図３】図１のＢ−Ｂ線断面図である。
【図４】本発明の実施形態に係る剥離紙片付き台紙において、剥離紙片と台紙とを分離させた状態を示す平面図である。
【図５】本発明の実施形態に係る剥離紙片付き台紙において、切り取りミシンから剥離紙片の周縁部分の半分だけを切り取り剥離させた状態を示す平面図である。
【図６】本発明の実施形態に係る剥離紙片付き台紙において、切り取りミシンから剥離紙片の周縁部分の全部を切り取り剥離させた状態を示す平面図である。
【図７】本発明の実施形態に係る剥離紙片付き台紙において、周縁部分を剥離させた後の剥離紙片の一部を剥離させた状態を示す平面図である。
【発明を実施するための形態】
【００１６】
以下、本発明の実施形態に係る剥離紙片付き台紙を図面に基づいて詳細に説明する。
図１乃至図３に示すように、本発明の実施形態に係る剥離紙片付き台紙１は、台紙２の表面の所定部分に剥離紙片３が剥離可能な状態で設けられている。
台紙２は、横方向に長い矩形形状で形成され、窓開き封筒に台紙２を入れた際に、窓開き封筒に設けられた窓部から見える位置に宛先を記載する宛先情報記載部４が設けられている。
剥離紙片３は、正方形で形成されており、剥離紙片３の外周縁部に沿って第１の切り取りミシン５が正方形の形状で形成されている。
尚、この実施形態では、剥離紙片３を正方形で形成させた場合について記載してあるが、必ずしも正方形に限定されるものでなく、利用者の用途に応じて矩形状、円形、など様々な形状とすることができる。
【００１７】
また、第１の切り取りミシン５は、カット部とアンカット部の長さがそれぞれ１．０ｍｍ以下に設定されたマイクロミシンであることが好ましい。
それは、第１の切り取りミシン５にマイクロミシンを使用することで、剥離紙片３の周縁部を第１の切り取りミシン５から切り取った際に、切り取り部である剥離紙片３の周縁部に凹凸が生じることを防止することができる。
つまり、切り取り部に凹凸が生じることを少なくすることで、剥離紙片３を媒体として使用する際にも取り扱いやすく、また見た目にも綺麗な切り口となり、周縁部を切り取った後の剥離紙片３をクーポンやチケットとして使用する際にも凹凸により指を切るなどの怪我防止にもなるという利点があるからである。
【００１８】
また、剥離紙片３の周縁部であって、第１の切り取りミシン５が形成された四角の部分から外側部分の裏面領域と、台紙２の表面側とは剥離可能な状態で擬似接着されている。
正方形の剥離紙片３を略２等分する対角線上の位置にあって、第１の切り取りミシン５が形成された四角の部分から外周縁部の間の部分には、それぞれ第２の切り取りミシン６ａ，６ｂが形成されている。
尚、第２の切り取りミシン６ａ，６ｂを形成する代わりに切り込みを形成するようにしてもよい。
この第２の切り取りミシン６ａ，６ｂが形成されていることで、第１の切り取りミシン５が形成された四角の部分から外側部分を、第１の切り取りミシン５と第２の切り取りミシン６ａ，６ｂとにより２つに分割して切り取ることができるようになっている。
【００１９】
そして、剥離紙片３の裏面領域において、第１の切り取りミシン５が形成された四角形状の内側部分であって、正方形の剥離紙片３を対角線上に略２等分した位置に対して直角方向となる両側端部近傍と、台紙２の表面と、が剥離可能に擬似接着されている。
つまり、剥離紙片３において、第２の切り取りミシン６ａ，６ｂが形成されていない側の角側であって、第１の切り取りミシン５が形成された四角形状の内側部分で、剥離紙片３の裏面と台紙２の表面で剥離可能に擬似接着されている。
上記した剥離可能に擬似接着する方法としては、公知の擬似接着の構成を用いればどのような構成であってもよい。
尚、剥離可能に擬似接着する方法としては種々あるが、この実施形態の説明においては、剥離可能に擬似接着する構成として、接着剤層と剥離層とを対接することで剥離可能な状態で接着する場合について説明する。
【００２０】
剥離紙片３には、切り取りミシン５が形成された四角の部分から外側部分の裏面領域に剥離剤層７が設けられている。
また、剥離紙片３には、剥離紙片３の裏面領域において、第１の切り取りミシン５が形成された四角形状の内側部分であって、正方形の剥離紙片３を対角線上に略２等分した位置に対して直角方向となる両側端部近傍にそれぞれ剥離剤層８ａ，８ｂが設けられている。
この両側端部近傍に設けられた剥離剤層８ａ，８ｂは、剥離紙片３を剥離する際に、剥離紙片３の角部を摘んで剥離させる側の角部に設けることが好ましい。
そして、図１に示すように剥離紙片３の左下部分と右上部分には、指で摘むためのコーナーカット１０ａ，１０ｂが形成されており、このコーナーカット１０ａ，１０ｂが形成された部分の近くに剥離剤層８ａ，８ｂが設けられている。
【００２１】
また、剥離紙片３が台紙２の表面上に重ね合わされた際に、剥離紙片３の裏面に設けられた剥離剤層６と対接する台紙２の表面領域には、接着剤層１１が設けられており、更に、剥離紙片３の裏面に設けられた剥離剤層８ａ，８ｂと対接する台紙２の表面領域にも、接着剤層１２ａ，１２ｂが設けられている。
したがって、剥離紙片３は、台紙２の表面に設けられた接着剤層１１，１２ａ，１２ｂにより接着されているが、それらの接着剤層１１，１２ａ，１２ｂが剥離剤層７，８ａ，８ｂと対接されているので、剥離紙片３を引き上げることで剥離させることができるように擬似接着状態になっている。
【００２２】
尚、上記のように、接着剤層１１，１２と剥離剤層７，８ａ，８ｂとを対接させて擬似接着する方法の他に、接着剤層１１，１２と剥離剤層７，８ａ，８ｂとが設けられた部分に放射線硬化型樹脂の硬化層をそれぞれ設けることで、放射線硬化型樹脂の硬化層同士を対接させて、剥離可能に擬似接着させる構成としてもよい。
【００２３】
図４には、剥離紙片３と台紙２とを分離させた状態を示す平面図が示されているが、剥離紙片３の裏面には記入欄１３が表示されている。
この記入欄１３は、剥離紙片３の使用用途に応じて様々な内容のものを表示させておけばよいが、図４では、クーポン券を有する剥離紙片３を使用者が使用した際に使用者に関する情報管理を行えるように、「使用日」と「使用者」とを記入するための記入欄が設けられている。
【００２４】
次に、本発明の実施形態に係る剥離紙片付き台紙１の使用方法を説明する。
例えば、図１に示すような、クーポン券を有する剥離紙片３を台紙２に添付させて顧客などに送る場合について説明する。
まず、台紙２の宛先情報記載部４に住所や氏名などの宛先情報を表示させて、窓開き封筒に剥離紙片付き台紙１を封入させて送付させる。
そして、その封筒の受取人は、開封して剥離紙片付き台紙１を取り出した後に、図５に示すように、剥離紙片３の左下部分に形成されているコーナーカット１０ａの部分を指で摘んでめくり上げる。
この際に、第１の切り取りミシン５で囲まれている剥離紙片３の部分であるクーポン券１３には、接着剤層１２ａで接着されているので、剥離紙片３の第１の切り取りミシン５及び第２の切り取りミシン６ａ，６ｂから切り取られて、第１の切り取りミシン５の外側の半分だけが剥離される。
【００２５】
次に、その受取人は、図６に示すように、剥離紙片３の右上部分に形成されているコーナーカット１０ｂの部分を指で摘んでめくり上げる。
この際に、第１の切り取りミシン５で囲まれている剥離紙片３の部分であるクーポン券１３には、接着剤層１２ｂで接着されているので、剥離紙片３の第１の切り取りミシン５及び第２の切り取りミシン６ａ，６ｂから切り取られて、第１の切り取りミシン５の外側の残りの半分が剥離される。
これにより、台紙２には、第１の切り取りミシン５で囲まれている剥離紙片３の部分であるクーポン券１３だけが貼付された状態となる。
【００２６】
次に、図７に示すように、台紙２からクーポン券１３を剥離させることで、クーポン券１３を得ることができる。
また、クーポン券１３の裏面には、「使用日」と「使用者」とを記入するための記入欄が設けられているので、クーポン券１３を顧客などが使用した際に記入して管理する。
上記のように、クーポン券１３の裏面に表示されている記入欄１４の領域には、剥離剤層や接着剤層などが設けられていないので、記入欄１４に記入を行う際でも、筆記に支障がなく文字を鮮明に記載することができる。
【符号の説明】
【００２７】
１  剥離紙片付き台紙
２  台紙
３  剥離紙片
４  宛先情報記載部
５  第１の切り取りミシン
６ａ，６ｂ  第２の切り取りミシン
７，８ａ，８ｂ  剥離剤層
１０ａ，１０ｂ  コーナーカット
１１，１２ａ，１２ｂ  接着剤層
１３  クーポン券
１４  記入欄
【図１】
2011115991.tif 000003
【図２】
2011115991.tif 000004
【図３】
2011115991.tif 000005
【図４】
2011115991.tif 000006
【図５】
2011115991.tif 000007
【図６】
2011115991.tif 000008
【図７】
2011115991.tif 000009